(57)【要約】【課題】見当制御装置の見当センサの取付け精度として、印刷媒体の進行方向に対する見当センサ１１の傾きを測定するために必要な測定装置を提供する。【解決手段】測定装置は１、印刷部材の走行方向からみて、見当センサが見当マークをセンシングする箇所の上流に設けられるガイドロール３０と下流に設けられるガイドロール３１とを架するための架設部材１ａに、ガイドロール３１の軸方向に架設部材１ａが垂直になるように、ガイドロール３１の外周面と当接する傾斜ブロック１ｅを設け、更に、架設部材１ａの測定基準点から、見当センサがセットされるレール１６までの距離を計測する計測器としてダイヤルゲージ１ｂを設ける。【選択図】図１
2008142894.tif 000002
【特許請求の範囲】
【請求項１】
グラビア印刷機に設けられた見当制御装置が有する見当センサの取付け精度を測定するための測定装置であって、前記測定装置は、印刷媒体の進行方向からみて、前記見当センサが見当マークをセンシングする箇所の上流に設けられる第１のガイドロールと下流に設けられる第２のガイドロールとを架するための架設部材に、前記第２のガイドロールの軸方向に前記架設部材が垂直になるように、前記第２のガイドロールの外周面と当接する傾斜部を設け、更に、前記架設部材の測定基準点から、前記見当センサがセットされる取付部材までの距離を測定する測定器を設けていることを特徴とする測定装置。
【請求項２】
グラビア印刷機に設けられた見当制御装置が有する見当センサの取付け精度を測定するための測定方法であって、印刷媒体の走行方向からみて、前記見当センサが見当マークをセンシングする箇所の下流に設けられるガイドロールの外周面を測定基準とし、前記測定基準から前記見当センサがセットされる取付部材までの距離を、請求項１に記載の測定装置を用いて、前記グラビア印刷機の幅方向において少なくとも２箇所の距離を測定し、前記印刷媒体の幅方向に対する前記取付部材の傾きを測定することで、前記印刷媒体の進行方向に対する傾きを測定することを特徴とする測定方法。
【発明の詳細な説明】
【技術分野】
【０００１】
本発明は、グラビア印刷機に設けられ、印刷物の見当誤差を自動で制御する見当制御装置の見当センサの取付け精度を測定するための測定装置及び方法に関する。
【背景技術】
【０００２】
多色のグラビア印刷機は、印刷物の見当誤差を自動で修正するために、印刷絵柄と共に印刷媒体に印刷される見当マークを検出し、自動的に見当誤差を演算し修正する見当制御装置を備えている。
【０００３】
図２は、見当制御装置を説明する図である。例えば、特許文献１や非特許文献１で開示されているように、見当制御装置１０には、印刷媒体２０に印刷された見当マーク２１をセンシングするために見当センサ１１が備えられている。
【０００４】
見当センサ１１は、印刷媒体２０の表面に光を照射する２個の投光部と、一対のガイドローラ３０，３１間に設けられた反射板からの反射光を受光する２個の受光部を備え、見当制御装置は、見当マーク２１が通過したときの光量の変化から見当誤差を演算し、見当誤差を修正する。
【０００５】
グラビア印刷機で印刷される印刷媒体２０の幅は品目ごとに異なり、グラビア印刷機の幅方向において見当マーク２１が通過する位置も品目ごとに異なるため、印刷媒体２０の幅方向と平行な方向に延在してレール１６が設けられ、見当センサ１１はレール１６上で移動可能な状態で設置される。
【０００６】
見当制御装置１０が見当誤差を誤認識する要因は様々であるが、見当センサ１１の設置精度が悪いと、印刷媒体２０上で見当誤差が発生していないにも関わらず、見当制御装置１０は見当誤差が発生していると誤認識してしまい、刷出し時に大量の印刷媒体２０を必要としてしまう場合がある。
【０００７】
係るべく問題を解決する発明として、本出願人は既に特許文献２において、見当センサ１１の設置精度として、印刷媒体２０と見当センサ１１の絶対距離、及び、印刷媒体２０の流れ方向の平行度を測定することができる見当検出装置を開示している。
【特許文献１】特開平１１−１２９４５２号公報
【特許文献２】特願２００６−０３６２１８号公報
【非特許文献１】グラビア技術総覧  第４編  第４章  レジスターコンロール装置                      株式会社  加工技術研究会  １９９４年７月１４日  発行
【発明の開示】
【発明が解決しようとする課題】
【０００８】
しかし、特許文献２で開示している発明では、印刷媒体２０の平面に対する見当センサ１１の平行度、すなわち、印刷媒体２０の平面に対して見当センサ１１が正対しているかどうかを確認することはできるが、印刷媒体２０の進行方向に対する見当センサ１１の傾きを測定することはできなかった。
【０００９】
図３は、印刷媒体２０の進行方向に対して見当センサ１１が傾いているときに、見当制御装置１０が見当誤差を誤認識する内容を説明する図である。上述しているように、見当センサ１１は２つの投光部１１ａ・受光部１１ｂを備え、２つの受光部１１ｂは、見当マーク２１が印刷される間隔Ｌ（例えば、は２０ｍｍ）で配置され、隣接する印刷ユニットで印刷された２つの見当マーク２１を同時にセンシングする。
【００１０】
例えば、図３（ａ）で図示したように、印刷媒体２０の進行方向に対して見当センサ１１が傾いてなければ見当認識誤差は発生しないが、図３（ｂ）で図示したように、印刷媒体２０の進行方向に対して見当センサ１１が傾いていると（例えば、θ度）、Ｌｍｍ×sinθだけ横見当誤差の認識誤差が発生してしまう。
【００１１】
そこで、本発明は、グラビア印刷機に設けられ、印刷物の見当誤差を自動で制御する見当制御装置の見当センサの取付け精度として、印刷媒体２０の進行方向に対する見当センサ１１の傾きを測定するために必要な測定装置、及び、印刷媒体２０の進行方向に対する見当センサ１１の傾きを測定する測定方法を提供することを目的とする。
【課題を解決するための手段】
【００１２】
上述した課題を解決する第１の発明は、グラビア印刷機に設けられた見当制御装置が有する見当センサの取付け精度を測定するための測定装置であって、前記測定装置は、印刷媒体の進行方向からみて、前記見当センサが見当マークをセンシングする箇所の上流に設けられる第１のガイドロールと下流に設けられる第２のガイドロールとを架するための架設部材に、前記第２のガイドロールの軸方向に前記架設部材が垂直になるように、前記第２のガイドロールの外周面と当接する傾斜部を設け、更に、前記架設部材の測定基準点から、前記見当センサがセットされる取付部材までの距離を測定する測定器を設けていることを特徴とする。
【００１３】
更に、第２の発明は、グラビア印刷機に設けられた見当制御装置が有する見当センサの取付け精度を測定するための測定方法であって、印刷媒体の走行方向からみて、前記見当センサが見当マークをセンシングする箇所の下流に設けられるガイドロールの外周面を測定基準とし、前記測定基準から前記見当センサがセットされる取付部材までの距離を、請求項１に記載の測定装置を用いて、前記グラビア印刷機の幅方向において少なくとも２箇所の距離を測定し、前記印刷媒体の幅方向に対する前記取付部材の傾きを測定することで、前記印刷媒体の進行方向に対する傾きを測定することを特徴とする。
【発明の効果】
【００１４】
本発明に係る前記測定装置の前記傾斜部と前記第２のガイドロールの外周面を当接させ、前記架設部材が前記第１のガイドロールと前記第２のガイドロールとを架した状態で、前記測定器のメモリを読み取ることで、前記架設部材の前記測定基準点から前記取付部材までの距離を測定することができるようになる。
【００１５】
更に、本発明に係る測定装置１を用いて、前記グラビア印刷機の幅方向において少なくとも２箇所の距離を測定することにより、前記印刷媒体の幅方向に対する前記取付部材の傾きを測定することができる。前記印刷媒体の幅方向に対する前記取付部材の傾きは、前記取付部材にセットさせる前記見当センサの前記印刷媒体の進行方向に対する傾きと同じであるため、前記印刷媒体の幅方向に対する前記取付部材の傾きを測定することで、前記取付部材にセットさせる前記見当センサの前記印刷媒体の進行方向に対する傾きを測定できことになる。
【発明を実施するための最良の形態】
【００１６】
ここから、本発明に係る測定装置について、図を参照しながら説明する。まず、図２を用いて、グラビア印刷機の各ユニットに設置される見当制御装置を説明する。
【００１７】
上述しているように図２は、見当制御装置を説明する図で、図２に示したように、本実施の形態における見当制御装置１０は、印刷媒体２０に印刷された見当マーク２１をセンシングする見当センサ１１と、見当センサ１１と対向し、見当センサ１１に対して印刷媒体２０の裏面に設置される反射板１２と、見当センサ１１から伝達される光信号を電気信号に変換してコントローラ１４に伝達する光信号変換ユニット１３と、光信号変換ユニット１３からの電気信号に基づいて、印刷媒体２０上で発生している見当誤差を演算し、コンペンセータロール（図示していない）を移動させるなどして、見当誤差を修正するコントローラ１４とから、少なくとも構成されている。
【００１８】
見当制御装置１０は、見当センサ１１の取付部材としてブランケット１５及びレール１６を有し、見当センサ１１は、ブランケット１５を介して、印刷媒体２０の幅方向と平行な方向に延在して設けられたレール１６にセットされる。レール１６の両側にはネジが嵌通するための穴が設けられ、レール１６はネジによってグラビア印刷機のユニットに固着される。レール１６の穴の径はネジ径よりも大きく、ネジを緩めることによって、レール１６の取付け精度を調整することが可能である。
【００１９】
上述しているように、見当センサ１１はレール１１上にセットされるため、印刷媒体２０の進行方向に対してレール１１が垂直に設置されていないと、レール１１上にセットされる見当センサ１１は印刷媒体２０の進行方向に対して傾き、見当制御装置１０が横見当誤差を誤認識してしまう。
【００２０】
本発明に係る測定装置１は、印刷媒体２０の進行方向に対する見当センサ１１の傾きとして、反射板１２の上流側に設けられるガイドロール３１と下流側に設けられるガイドロール３０とを利用し、印刷媒体２０の幅方向に対するレール１１の傾きを測定するために利用される装置で、印刷媒体２０の幅方向対してレール１１の傾きが無くなるように調整することで、印刷媒体２０の進行方向に対する見当センサ１１の傾きは無くなり、横見当誤差の認識誤差も発生しなくなる。
【００２１】
図１は、本発明に係る測定装置１の三面図である。本発明に係る測定装置１は、反射板１６の上下に設けられた一対のガイドローラ３０、３１を架する架設部材１ａに測定器としてダイヤルゲージ１ｂが固着されている。
【００２２】
架設部材１ａの幅方向の長さは任意であるが、本実施の形態では、架設部材１ａの幅方向の長さは約１０ｃｍで、架設部材１ａは、図１に図示したように、一対のガイドロール３０，３１間を橋渡しするため、架設部材１ａの縦方向の長さは、一対のガイドロール３０、３１間の長さＬｏよりも若干（例えば、５ｃｍ程度）長くしている。
【００２３】
架設部材１ａには、下流側のガイドロール３１の外周面を測定基準とするため、ダイヤルゲージ１ｂが固着される面の裏面上部に、下流側のガイドロール３１と当接する傾斜ブロック１ｅが備えられている。
【００２４】
架設部材１ａに備えられた傾斜ブロック１ｅの傾斜面が、図３の如く、下流側のガイドロード４１の円周面と当接し、更に、架設部材１ａが一対のガイドロール３０、３１を架することで、架設部材１ａをグラビア印刷機にセットしたときに、下流側のガイドロール３１を基準として、グラビア印刷機上の架設部材１ａの相対位置が定まる。
【００２５】
傾斜ブロック１ｅに加え、架設部材１ａには、ダイヤルゲージ１ｂを取付けるために金属製のプレート１ｃが垂設され、このプレート１ｃに設けられたセットカラー１ｄによって、ダイヤルゲージ１ｂは架設部材１ａに固着される。
【００２６】
架設部材１ａに設けられるダイヤルゲージ１ｂは、ダイヤルインジケータとも称される測定器で、短針と長針の２つの指針を備え、長針は、スピンドルの先端の測定子がフリーの状態から、先端の測定子が１ｍｍ動くと１回転するような構造で、短針は、長針が１回転すると短針の目盛りが一つ移動する。長針用の目盛は、目盛りの周縁部を、例えば、１００等分されており、ダイヤルゲージ１ｂを用いることで、例えば、０．０１ｍｍの分解能で測定可能である。
【００２７】
ダイヤルゲージ１ｂは、架設部材１ａをグラビア印刷機にセットしたときに、ダイヤルゲージ１ｂのスピンドルがレール１６に接触し、かつ、ダイヤルゲージ１ｂのスピンドルがレール１６に接触したときに、ダイヤルゲージ１ｂの測定範囲内になるように、ダイヤルゲージ１ｂはプレート１ｃ及びセットカラー１ｄによって、架設部材１ａに固着される。
【００２８】
上述しているように、架設部材１ａをグラビア印刷機にセットしたときに、下流側のガイドロール３１を基準として、グラビア印刷機上の架設部材１ａの相対位置が定まるため、更に、架設部材１ａの測定基準点は、セットカラー１ｄにダイヤルゲージ１ｂを固着したときの位置になる。
【００２９】
すなわち、測定装置１を用いて、グラビア印刷機のＧＳ（ギヤサイド）とＭＳ（マンサイド）側のそれぞれにおいて、ダイヤルゲージ１ｂの目盛りの差を読取ることで、印刷媒体２０の幅方向に対するレール１１の傾きを測定できる。
【００３０】
ダイヤルゲージ１ｂの指針が示す絶対値は意味を持たず、グラビア印刷機のＧＳ（ギヤサイド）側とＭＳ（マンサイド）側のそれぞれにおいて、グラビア印刷機のユニットに測定装置１をセットしたときのダイヤルゲージ１ｂの目盛りの差が印刷媒体２０の幅方向に対するレール１１の傾きを意味する。
【００３１】
印刷媒体２０の幅方向に対するレール１１の傾きは、印刷媒体２０の進行方向に対する見当センサ１１の傾きと同じであるため、ＧＳ側とＭＳ側において、ダイヤルゲージ１ｂの目盛りの差が基準値外であれば、ダイヤルゲージ１ｂの目盛りの差が基準値内になるようにレールの取付け精度を調整する。
【００３２】
本発明に係る測定装置は、上述した例に何ら限定されることなく、種々の変形や変更が可能である。上述した例では、測定器としてダイヤルゲージを用いているが、ダイヤルゲージ以外の測定器を用いてもよい。例えば、レーザ光を照射し、非接触による距離の測定が可能なレーザ変位センサ等であってもよい。
【００３３】
また、これまでの説明では、印刷媒体２０の進行方向に対する見当センサ１１の傾きとして、測定装置１を用いて、印刷媒体２０の幅方向に対するレール１１の傾きを測定したが、測定装置１を用いて、印刷媒体２０の幅方向に対するブラケット１５の傾きを測定してもよい。
【図面の簡単な説明】
【００３４】
【図１】本発明に係る測定装置の三面図。
【図２】見当制御装置を説明する図。
【図３】印刷媒体の進行方向に対して見当センサが傾いているときに、見当制御装置が見当誤差を誤認識する内容を説明する図。
【符号の説明】
【００３５】
１  測定装置
１ａ  架設部材
１ｂ  ダイヤルゲージ
１ｃ  プレート
１ｄ  セットカラー
１ｅ  傾斜ブロック
１０  見当制御装置
１１  見当センサ
１５  ブラケット
１６  レール
３０、３１  ガイドロール
【図１】
2008142894.tif 000003
【図２】
2008142894.tif 000004
【図３】
2008142894.tif 000005